(57)【要約】【課題】受け入れ部の破損を抑制することができる巻尺ホルダを提供する。【解決手段】巻尺ホルダ１００は、ベルト１０１に取り付けられた状態で巻尺１０２を保持するためのものであって、巻尺１０２に取り付けられる差し込み体１０と、差し込み体１０を受け入れ可能な本体部２０とを備えている。本体部２０は、ベルト１０１に取り付けられる取り付け部２１と、差し込み体１０を受け入れる受け入れ部Ｒとを含んでいる。本体部２０は、受け入れ部Ｒを規定する金属部材を有する。【選択図】図２
2014106027.tif 000002
【特許請求の範囲】
【請求項１】
ベルトに取り付けられた状態で巻尺を保持するための巻尺ホルダであって、
前記巻尺に取り付けられる差し込み体と、
前記差し込み体を受け入れ可能な本体部とを備え、
前記本体部は、
前記ベルトに取り付けられる取り付け部と、前記差し込み体を受け入れる受け入れ部とを含み、
前記本体部は、前記受け入れ部を規定する金属部材を有する、巻尺ホルダ。
【請求項２】
前記本体部は、
前記差し込み体を受け入れる受け入れ軌道と交差する方向に移動可能な係止部と、
前記係止部を前記受け入れ軌道と交差する方向に移動するように付勢可能な弾性部材と、
前記受け入れ軌道に対して斜め方向に前記受け入れ部に向かって移動可能なスイッチ部とを含み、
前記スイッチ部が移動することで、前記係止部が前記弾性部材の付勢力に抗して前記受け入れ軌道から離れる方向に移動された状態で、前記差し込み体は、前記受け入れ部から取り出されるように構成されている、請求項１に記載の巻尺ホルダ。
【請求項３】
前記差し込み体および前記受け入れ部のいずれか一方は凸部を含み、他方は凹部を含み、
前記差し込み体が前記受け入れ部に受け入れられた状態で前記凸部と前記凹部とは嵌合するように構成されている、請求項１または２に記載の巻尺ホルダ。
【請求項４】
前記巻尺に接続された紐部材をさらに備え、
前記本体部は、前記紐部材に接続され、前記受け入れ軌道と交差する方向における前記本体部の端部に配置された接続部をさらに備え、
前記紐部材は、前記差し込み体が前記受け入れ部に受け入れられる際に、前記受け入れ軌道に対して前記接続部と同じ側において前記巻尺に接続されている、請求項１〜３のいずれかに記載の巻尺ホルダ。
【請求項５】
前記接続部は、前記紐部材を挿通可能な貫通孔部と、前記貫通孔部を取り囲む貫通孔周辺部とを含み、
前記貫通孔周辺部は前記金属部材で形成されている、請求項４に記載の巻尺ホルダ。
【請求項６】
前記差し込み体は金属からなっている、請求項１〜５のいずれかに記載の巻尺ホルダ。
【発明の詳細な説明】
【技術分野】
【０００１】
本発明は巻尺ホルダに関し、特に、ベルトに取り付けられた状態で巻尺を保持するための巻尺ホルダに関するものである。
【背景技術】
【０００２】
従来、作業者のベルトに取り付け可能な巻尺ホルダが用いられている。たとえば、特開２００３−１２７０７２号公報（特許文献１）および登録実用新案第３１６３３８１号公報（特許文献２）には、巻尺に取り付けられた差し込み体を本体部に着脱することで巻尺を着脱可能な巻尺ホルダが開示されている。これらのような巻尺ホルダでは、差し込み体は本体部の受け入れ部に挿入される。
【先行技術文献】
【特許文献】
【０００３】
【特許文献１】特開２００３−１２７０７２号公報
【特許文献２】登録実用新案第３１６３３８１号公報
【発明の概要】
【発明が解決しようとする課題】
【０００４】
上記のような巻尺ホルダでは、受け入れ部の材料にプラスチック樹脂が使用されている。そのため、巻尺の装着時などに差し込み体から受け入れ部に荷重が加わると、当該受け入れ部が破損することがあった。
【０００５】
本発明は上記課題を鑑みてなされたものであり、その目的は、受け入れ部の破損を抑制することができる巻尺ホルダを提供することである。
【課題を解決するための手段】
【０００６】
本発明の巻尺ホルダは、ベルトに取り付けられた状態で巻尺を保持するためのものであって、巻尺に取り付けられる差し込み体と、差し込み体を受け入れ可能な本体部とを備えている。本体部は、ベルトに取り付けられる取り付け部と、差し込み体を受け入れる受け入れ部とを含んでいる。本体部は、受け入れ部を規定する金属部材を有する。
【０００７】
本発明の巻尺ホルダによれば、本体部は受け入れ部を規定する金属部材を有しているため、受け入れ部がプラスチック樹脂で形成されている場合に比べて受け入れ部の強度を向上することができる。このため、受け入れ部の破損を抑制することができる。
【０００８】
上記の巻尺ホルダでは、好ましくは、本体部は、差し込み体を受け入れる受け入れ軌道と交差する方向に移動可能な係止部と、係止部を受け入れ軌道と交差する方向に移動するように付勢可能な弾性部材と、受け入れ軌道に対して斜め方向に受け入れ部に向かって移動可能なスイッチ部とを含んでいる。スイッチ部が移動することで、係止部が弾性部材の付勢力に抗して受け入れ軌道から離れる方向に移動された状態で、差し込み体は、受け入れ部から取り出されるように構成されている。
【０００９】
スイッチ部が受け入れ軌道に対して斜め方向に受け入れ部に向かって移動するため、作業者はスイッチ部を押し込んだ状態で巻尺を取り外しやすい。つまり、作業者は片手の親指でスイッチ部を押し込みつつ片手の残りの指で巻尺をつかみやすい。この作業者の手の動きは自然な手の関節の動きに従うものであるため、作業者は自然な動作で巻尺を取り外すことができる。よって、作業者の巻尺を取り出す動作の負担を軽減することができる。
【００１０】
上記の巻尺ホルダでは、好ましくは、差し込み体および受け入れ部のいずれか一方は凸部を含み、他方は凹部を含んでいる。差し込み体が受け入れ部に受け入れられた状態で凸部と凹部とは嵌合するように構成されている。凸部と凹部とが嵌合することで差し込み体を受け入れ部にしっかりと保持することができる。
【００１１】
上記の巻尺ホルダは、好ましくは、巻尺に接続された紐部材をさらに備えている。本体部は、紐部材に接続され、受け入れ軌道と交差する方向における本体部の端部に配置された接続部をさらに備えている。紐部材は、差し込み体が受け入れ部に受け入れられる際に、受け入れ軌道に対して接続部と同じ側において巻尺に接続されている。このため、差し込み体が受け入れ部に受け入れられる際に、受け入れ軌道に紐部材が入ることを抑制することができる。これにより、差し込み体の受け入れ部への受け入れが紐部材によって阻害されることが抑制される。よって、巻尺の装着時の作業性を向上することができる。
【００１２】
上記の巻尺ホルダでは、好ましくは、接続部は紐部材を挿通可能な貫通孔部と、貫通孔部を取り囲む貫通孔周辺部とを含んでいる。貫通孔周辺部は金属部材で形成されている。これにより、接続部の強度を向上することができる。
【００１３】
上記の巻尺ホルダでは、好ましくは、差し込み体は金属からなっている。このため、差し込み体の強度を向上することができる。これにより、受け入れ部を規定する金属材料と接触することによって、差し込み体が破損することを抑制することができる。
【発明の効果】
【００１４】
以上説明したように、本発明の巻尺ホルダによれば、受け入れ部の破損を抑制することができる。
【図面の簡単な説明】
【００１５】
【図１】本発明の一実施の形態における巻尺ホルダの概略斜視図であって、巻尺ホルダに巻尺が装着されており、巻尺ホルダがベルトに取り付けられた状態を示す図である。
【図２】本発明の一実施の形態における巻尺ホルダの概略斜視図であって、巻尺ホルダに巻尺が着脱される様子を示す図である。
【図３】本発明の一実施の形態における巻尺ホルダの差し込み体が巻尺に取り付けられた状態を示す概略斜視図である。
【図４】本発明の一実施の形態における巻尺ホルダの差し込み体の概略斜視図である。
【図５】本発明の一実施の形態における巻尺ホルダのスイッチ部周辺を示す概略正面図であって、スイッチ部が押し込まれる前の状態を示す図である。
【図６】本発明の一実施の形態における巻尺ホルダのスイッチ部周辺を示す概略正面図であって、スイッチ部が押し込まれた状態を示す図である。
【図７】本発明の一実施の形態における巻尺ホルダのスイッチ部周辺を示す概略正面図であって、スイッチ部が押し込まれた状態で差し込み体が受け入れ部から取り出された状態を示す図である。
【図８】本発明の一実施の形態の変形例における巻尺ホルダの差し込み体が巻尺に取り付けられた状態を示す概略斜視図である。
【図９】本発明の一実施の形態の変形例における巻尺ホルダの差し込み体の概略斜視図である。
【図１０】本発明の一実施の形態の変形例における巻尺ホルダのスイッチ部周辺を示す概略正面図であって、スイッチ部が押し込まれる前の状態を示す図である。
【図１１】本発明の一実施の形態の変形例における巻尺ホルダのスイッチ部周辺を示す概略正面図であって、スイッチ部が押し込まれた状態を示す図である。
【図１２】本発明の一実施の形態の変形例における巻尺ホルダのスイッチ部周辺を示す概略正面図であって、スイッチ部が押し込まれた状態で差し込み体が受け入れ部から取り出された状態を示す図である。
【発明を実施するための形態】
【００１６】
以下、本発明の一実施の形態について図に基づいて説明する。
まず、図１〜図５を参照して、本発明の一実施の形態の巻尺ホルダの構成について説明する。
【００１７】
図１を参照して、本実施の形態の巻尺ホルダ１００は、ベルト１０１に取り付けられた状態で巻尺１０２を保持するためのものである。巻尺ホルダ１００に巻尺１０２が装着されている。また巻尺ホルダ１００はベルト１０１に取り付けられている。なお、ベルト１０１はズボンのベルト通しに挿入された状態で示されているが、図１では見やすくするためズボンは図示されていない。この点は図２でも同様である。
【００１８】
主に図２〜図５を参照して、巻尺ホルダ１００は、巻尺１０２に取り付けられる差し込み体１０と、差し込み体１０を受け入れ可能な本体部２０とを主に有している。
【００１９】
図３および図４を参照して、差し込み体１０は、円弧状部１０ａと、張出部１０ｂと、胴体部１０ｃとを有している。円弧状部１０ａは差し込み体１０の先端部に配置されており、張出部１０ｂは差し込み体１０の後端部に配置されている。円弧状部１０ａは略半円状に形成されており、胴体部１０ｃの先端から外側に張り出すように形成されている。張出部１０ｂは胴体部１０ｃの両側面から側方に張り出すように形成されている。胴体部１０ｃは円弧状部１０ａと張出部１０ｂとを連結している。円弧状部１０ａは、差し込み体１０の厚み方向において、張出部１０ｂと異なる高さ位置に配置されている。円弧状部１０ａの上端面１０ｄは、外側が差し込み体１０の先端部側に下がるように傾斜している。
【００２０】
差し込み体１０は、厚み方向において張出部１０ｂ側から巻尺１０２に固定されている。差し込み体１０はその中央部で巻尺１０２にねじ止めされている。また、差し込み体１０は巻尺１０２の一方面１０２ａの中央部に固定されている。したがって、張出部１０ｂは巻尺１０２の一方面１０２ａから間隔をあけて配置されている。差し込み体１０は樹脂からなっている。なお、差し込み体１０は金属からなっていてもよい。
【００２１】
主に図２および図５を参照して、本体部２０は、取り付け部２１と、カバー部材２２と、係止部２３と、弾性部材２４と、スイッチ部２５と、接続部２６とを有している。なお、図５では、見やすくするためにカバー部材２２はその外形が一点鎖線で示されており、カバー部材２２の裏側に配置された係止部２３などは実線で示されている。また、図５では、見やすくするため巻尺１０２は図示されていない。
【００２２】
取り付け部２１はベルト１０１に取り付けられるように構成されている。取り付け部２１はベルト１０１を挿入可能な内部空間２１ａを有している。内部空間２１ａは本体部２０の両側を貫通するように形成されている。
【００２３】
カバー部材２２は、係止部２３と、弾性部材２４と、スイッチ部２５とを本体部２０に保持すように形成されている。カバー部材２２は中央部にガイド部２２ａを有している。ガイド部２２ａは差し込み体１０の胴体部１０ｃと係合して差し込み体１０を案内可能に構成されている。
【００２４】
また、カバー部材２２と取り付け部２１との間に収容空間Ｓが設けられている。収容空間Ｓは差し込み体１０の円弧状部１０ａおよび張出部１０ｂを収容可能に構成されている。この収容空間Ｓに差し込み体１０の円弧状部１０ａおよび張出部１０ｂの少なくとも一部が収容されることで、差し込み体１０がカバー部材２２側に脱落することを防ぐことができる。
【００２５】
カバー部材２２と収容空間Ｓとによって受け入れ部Ｒが構成されている。受け入れ部Ｒは差し込み体１０を受け入れるように構成されている。なお、ガイド部２２ａの厚みが大きく、ガイド部２２ａで差し込み体１０を保持可能な場合には、カバー部材２２と取り付け部２１との間に収容空間Ｓが設けられていなくてもよい。
【００２６】
カバー部材２２は金属部材で構成されている。これにより、本体部２０は受け入れ部Ｒを規定する金属部材を有している。なお、カバー部材２２の全体が金属部材で構成されている必要はなく、ガイド部２２ａが金属部材で構成されていればよい。また、カバー部材２２の表面側および裏面側のいずれかが金属部材で構成されていてもよい。
【００２７】
係止部２３は差し込み体１０を受け入れる受け入れ軌道３０と交差する方向に移動可能に構成されている。受け入れ軌道３０は差し込み体１０の外形が通過する領域を有している。係止部２３は第１の係合面２３ａおよび第２の係合面２３ｂを有している。第１の係合面２３ａは、スイッチ部２５の先端に設けられた斜面２５ａに摺動可能に形成されている。第２の係合面２３ｂは、差し込み体１０の円弧状部１０ａの上端面１０ｄに摺動可能に構成されている。本発明の一実施の形態では、係止部２３は受け入れ軌道３０に対して斜め下方向に移動可能に構成されている。
【００２８】
弾性部材２４は係止部２３を受け入れ軌道３０と交差する方向に移動するように付勢可能に構成されている。弾性部材２４は係止部２３と本体部２０の側面部２０ａとの間に配置されており、受け入れ軌道３０に向かって伸縮することで係止部２３を付勢可能に形成されている。弾性部材２４はたとえばコイルばねである。
【００２９】
スイッチ部２５は受け入れ軌道３０に対して斜め方向に受け入れ部Ｒに向かって移動可能に構成されている。本発明の一実施の形態では、スイッチ部２５は受け入れ軌道３０に対して斜め上方向に移動可能に構成されている。スイッチ部２５は後端を押されることで先端に設けられた斜面２５ａで係止部２３を押圧可能に構成されている。スイッチ部２５が移動することで、係止部２３が弾性部材２４の付勢力に抗して受け入れ軌道３０から離れる方向に移動された状態で、差し込み体１０は、受け入れ部Ｒから取り出されるように構成されている。
【００３０】
接続部２６は受け入れ軌道３０と交差する方向における本体部２０の端部に配置されている。カバー部材２２はガイド部２２ａを挟んでスイッチ部２５と反対側に接続部２６を有している。接続部２６は、貫通孔部２６ａと、貫通孔周辺部２６ｂとを有している。貫通孔部２６ａは、紐部材３１を挿通可能に形成されている。貫通孔周辺部２６ｂは、貫通孔部２６ａを取り囲むように形成されている。貫通孔周辺部２６ｂはカバー部材２２を構成する金属部材で形成されている。つまり、接続部２６とカバー部材２２とは金属部材で一体に形成されている。なお、接続部２６はカバー部材２２と一体に形成されている必要はなく、別体に形成されていてもよい。
【００３１】
また、差し込み体１０は先端部に凸部４１を有している。凸部４１は円弧状部１０ａ上の形成されている。受け入れ部Ｒは凸部４１と嵌合可能な凹部４２を有している。凹部４２はガイド部２２ａの下端に形成されている。差し込み体１０が受け入れ部Ｒに受け入れられた状態で、凸部４１と凹部４２とは嵌合するように構成されている。
【００３２】
なお、差し込み体１０が凹部４２を有しており、受け入れ部Ｒが凸部４１を有していてもよい。つまり、差し込み体１０および受け入れ部Ｒのいずれか一方は凸部４１を有し、他方は凹部４２を有していればよい。
【００３３】
また、再び図２を参照して、巻尺ホルダ１００は紐部材３１を有している。紐部材３１は取り付けのための取付具３２を有していてもよい。紐部材３１は巻尺１０２と接続部２６とに接続されている。紐部材３１は、差し込み体１０が受け入れ部Ｒに受け入れられる際に、受け入れ軌道３０に対して接続部２６と同じ側において巻尺１０２に接続されている。つまり、巻尺１０２の紐部材３１との接続部分と接続部２６とが同じ側に配置されている。
【００３４】
次に、本発明の一実施の形態の巻尺ホルダの使用状態について説明する。
再び図１を参照して、巻尺ホルダ１００はベルト１０１に取り付けられた状態で使用される。巻尺ホルダ１００は巻尺１０２を保持している。この状態では、図５に示すように、差し込み体１０が受け入れ部Ｒに受け入れられている。具体的には、差し込み体１０の円弧状部１０ａおよび張出部１０ｂが収容空間Ｓに収容され、胴体部１０ｃがガイド部２２ａに係合されている。また差し込み体１０の凸部４１が受け入れ部Ｒの凹部４２と嵌合している。円弧状部１０ａの上端面１０ｄには弾性部材２４に付勢された係止部２３の第２の係合面２３ｂが係合されている。巻尺ホルダ１００から巻尺１０２を取り外す場合にはスイッチ部２５の後端が図５中矢印Ａ１方向（斜め左下方向）に押される。これにより、スイッチ部２５は受け入れ軌道３０に対して斜め方向に受け入れ部Ｒに向かって移動する。
【００３５】
図６を参照して、スイッチ部２５が押し込まれると、スイッチ部２５によって係止部２３が押される。具体的には、スイッチ部２５の先端に設けられた斜面２５ａに係止部２３の第１の係合面２３ａが摺動しながら係止部２３が押される。これにより、係止部２３は受け入れ軌道３０と交差する方向に移動する。つまり、係止部２３は、図６中矢印Ａ２方向（斜め右下方向）に移動する。本発明の一実施の形態では、スイッチ部２５が押される方向Ａ１と係止部２３が移動する方向Ａ２とは略直交している。係止部２３は弾性部材２４の付勢力に抗して受け入れ軌道３０から離れる方向に移動する。これにより、差し込み体１０の円弧状部１０ａと係止部２３の第２の係合面２３ｂとの係合が解除される。
【００３６】
図７を参照して、スイッチ部２５が押し込まれて係止部２３が受け入れ軌道３０から離れる方向に移動した状態で、差し込み体１０が受け入れ軌道３０上を移動する。これにより、差し込み体１０は受け入れ部Ｒから図中矢印Ａ３方向（上方向）に取り出される。このようにして、図２に示すように、巻尺ホルダ１００がベルト１０１に取り付けられた状態で巻尺ホルダ１００から巻尺１０２が取り外される。
【００３７】
次に、本発明の一実施の形態の変形例における巻尺ホルダについて説明する。なお、上記と同一の機能を果たす要素には同一の参照符号を付し、その説明は、特に必要がなければ繰り返さない。
【００３８】
図８〜図１０を参照して、本発明の一実施の形態の変形例における巻尺ホルダ１００では、差し込み体１０の円弧状部１０ａの上端面１０ｄは略水平に形成されている。つまり、円弧状部１０ａの上端面１０ｄは受け入れ軌道３０と略直交するように形成されている。また、本発明の一実施の形態における変形例の巻尺ホルダ１００では、係止部２３は受け入れ軌道３０に対して略直交する方向に移動可能に構成されている。
【００３９】
なお、本発明の一実施の形態における変形例の巻尺ホルダでは、差し込み体１０は先端部に凸部４１を有しておらす、受け入れ部Ｒは凸部４１と嵌合可能な凹部４２を有していない。しかしながら、差し込み体１０に凸部４１が設けられ、受け入れ部Ｒに凹部４２が設けられていてもよい。そして、差し込み体１０が受け入れ部Ｒに受け入れられた状態で、凸部４１と凹部４２とは嵌合するように構成されていてもよい。
【００４０】
次に、本発明の一実施の形態の巻尺ホルダの使用状態について説明する。
再び図１０を参照して、差し込み体１０の円弧状部１０ａの上端面１０ｄには弾性部材２４に付勢された係止部の第２の係合面２３ｂが係合されている。巻尺ホルダ１００から巻尺１０２を取り外す場合にはスイッチ部２５の後端が図５中矢印Ａ１方向（斜め左下方向）に押される。これにより、スイッチ部２５は受け入れ軌道３０に対して斜め方向に受け入れ部Ｒに向かって移動する。
【００４１】
図１１を参照して、スイッチ部２５が押し込まれると、スイッチ部２５によって係止部２３が押される。具体的には、スイッチ部２５の先端に設けられた斜面２５ａに係止部２３の第１の係合面２３ａが摺動しながら係止部２３が押される。これにより、係止部２３は受け入れ軌道３０と略直交する方向に移動する。つまり、係止部２３は、図１１中矢印Ａ４方向（水平方向）に移動する。本発明の一実施の形態の変形例における巻尺ホルダ１００では、スイッチ部２５が押される方向Ａ１と係止部２３が移動する方向Ａ４とのなす角度は、たとえば６０度に設定されている。係止部２３は弾性部材２４の付勢力に抗して受け入れ軌道３０から離れる方向に移動する。これにより、差し込み体１０の円弧状部１０ａと係止部２３の第２の係合面２３ｂとの係合が解除される。
【００４２】
図１２を参照して、スイッチ部２５が押し込まれて係止部２３が受け入れ軌道３０から離れる方向に移動した状態で、差し込み体１０が受け入れ軌道３０上を移動する。これにより、差し込み体１０は受け入れ部Ｒから図中矢印Ａ３方向（上方向）に取り出される。
【００４３】
次に、本発明の一実施の形態の巻尺ホルダの作用効果について説明する。
本発明の一実施の形態の巻尺ホルダ１００によれば、本体部２０は受け入れ部Ｒを規定する金属部材を有しているため、受け入れ部Ｒがプラスチック樹脂で形成されている場合に比べて受け入れ部Ｒの強度を向上することができる。このため、受け入れ部Ｒの破損を抑制することができる。
【００４４】
本発明の一実施の形態の巻尺ホルダ１００によれば、スイッチ部２５が受け入れ軌道３０に対して斜め方向に受け入れ部Ｒに向かって移動するため、作業者はスイッチ部２５を押し込んだ状態で巻尺１０２を取り外しやすい。つまり、作業者は片手の親指でスイッチ部２５を押し込みつつ片手の残りの指で巻尺をつかみやすい。この作業者の手の動きは自然な手の関節の動きに従うものであるため、作業者は自然な動作で巻尺１０２を取り外すことができる。よって、作業者の巻尺１０２を取り出す動作の負担を軽減することができる。
【００４５】
本発明の一実施の形態の巻尺ホルダ１００によれば、差し込み体１０が受け入れ部Ｒに受け入れられた状態で凸部４１と凹部４２とは嵌合するように構成されている。このため、凸部４１と凹部４２とが嵌合することで差し込み体１０を受け入れ部Ｒにしっかりと保持することができる。
【００４６】
本発明の一実施の形態の巻尺ホルダ１００によれば、紐部材３１は、差し込み体１０が受け入れ部Ｒに受け入れられる際に、受け入れ軌道３０に対して接続部２６と同じ側において巻尺１０２に接続されている。このため、差し込み体１０が受け入れ部Ｒに受け入れられる際に、受け入れ軌道３０に紐部材３１が入ることを抑制することができる。これにより、差し込み体１０の受け入れ部Ｒへの受け入れが紐部材３１によって阻害されることが抑制される。よって、巻尺１０２の装着時の作業性を向上することができる。
【００４７】
本発明の一実施の形態の巻尺ホルダ１００では、接続部２６の貫通孔部２６ａを取り囲む貫通孔周辺部２６ｂはカバー部材２２を構成する金属部材で形成されている。これにより、接続部２６の強度を向上することができる。
【００４８】
本発明の一実施の形態の巻尺ホルダ１００では、差し込み体１０は金属からなっていてもよい。この場合、差し込み体１０が樹脂からなっている場合と比較して、差し込み体１０の強度を向上することができる。このため、受け入れ部Ｒを規定する金属材料と接触することによって、差し込み体１０が破損することを抑制することができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５０】
本発明は、ベルトに取り付けられた状態で巻尺を保持するための巻尺ホルダに特に有利に適用され得る。
【符号の説明】
【００５１】
１０  差し込み体、１０ａ  円弧状部、１０ｂ  張出部、１０ｃ  胴体部、１０ｄ  上端面、２０  本体部、２０ａ  側面部、２１  取り付け部、２１ａ  内部空間、２２  カバー部材、２２ａ  ガイド部、２３  係止部、２３ａ  第１の係合面、２３ｂ  第２の係合面、２４  弾性部材、２５  スイッチ部、２５ａ  斜面、２６  接続部、２６ａ  貫通孔部、２６ｂ  貫通孔周辺部、３０  受け入れ軌道、３１  紐部材、３２  取付具、４１  凸部、４２  凹部、１００  巻尺ホルダ、１０１  ベルト、１０２  巻尺、１０２ａ  一方面、Ｒ  受け入れ部、Ｓ  収容空間。
【図１】
2014106027.tif 000003
【図２】
2014106027.tif 000004
【図３】
2014106027.tif 000005
【図４】
2014106027.tif 000006
【図５】
2014106027.tif 000007
【図６】
2014106027.tif 000008
【図７】
2014106027.tif 000009
【図８】
2014106027.tif 000010
【図９】
2014106027.tif 000011
【図１０】
2014106027.tif 000012
【図１１】
2014106027.tif 000013
【図１２】
2014106027.tif 000014